(57)【要約】【課題】過大な電流が配線に流れることを防止し、誤ってブレーカ操作部を操作することもなく電流制御の操作性を良好にできる。【解決手段】実験台は、面状の一対の脚部とその間の補助脚部とを設け、その上に一対の支柱４と中間支柱を設けた。各脚部の上に天板７を設置し、支柱の上部に第一棚板、第二棚板を設けた。天板７の後部には、支柱４と中間支柱の間に、コンセント２０を設置したコンセントユニット１６と、上部に開口を形成した配線収容部とを設けた。コンセントユニット１６の配線収容部内に位置する側面１６ｂにブレーカスイッチ２５を設けた。配線収容部の開口を開閉可能な蓋体１８を設置した。【選択図】図２
2015047572.tif 000002
【特許請求の範囲】
【請求項１】
作業用の天板と、前記天板を支持する脚部と、前記天板から上方に延びていて棚板を支持する支柱とを備えた什器であって、
前記天板の後方には、コンセントを設置したコンセントユニットと、開口を有していて内部に配線を収容した配線収容部とを備え、
前記配線収容部内に前記コンセントユニットにおけるコンセントのブレーカ操作部を備えたことを特徴とする什器。
【請求項２】
前記ブレーカ操作部は前記コンセントユニットの前記配線収容部内に位置する側面に設けられている請求項１に記載された什器。
【請求項３】
前記配線収容部の開口には開閉可能な蓋体が設置されている請求項１または２に記載された什器。
【請求項４】
前記什器の本体には係合受け部が固定され、前記コンセントユニットには前記係合受け部に着脱可能な係合部材が設けられている請求項１乃至３のいずれか１項に記載された什器。
【請求項５】
請求項１乃至４のいずれか１項に記載された什器において、
前記天板は、前記支柱を設けた領域を挟んで両側に一対設けられており、前記一対の天板の間の前記領域に前記配線収容部を設置し、前記配線収容部とそれぞれの前記天板との間に前記コンセントユニットをそれぞれ設置したことを特徴とする什器。
【発明の詳細な説明】
【技術分野】
【０００１】
本発明は、作業平面として使用される天板と実験機器や測定機器等を設置可能な棚板とを備え、電気配線等を設けた実験台や作業台やデスク等を含む什器に関するものである。
【背景技術】
【０００２】
従来から、企業や研究所や大学の研究室等の各種研究施設や実験施設には、専門的な研究や実験等を行うために実験台が設置されている。一般的にこれら実験台には、様々な実験機器や測定機器等を載置したり、実験作業を行い易くしたりするために、作業平面や載置面を広く確保することが求められている。このようなニーズに応えるものとして、広い作業用の天板と該天板の後方側の上方に設けられた棚板とを支柱に固定した実験台としての什器が広く知られており、例えば特許文献１、２及び３等に開示されている。
【０００３】
こうした什器を使用することで十分な作業空間を確保できると共に、実験機器や計測機器等を使い勝手のよい位置に配置することが可能になり、各種の研究や実験の作業効率を高めることができる。
また、各種の実験機器や測定機器は電子機器であることが多く、各機器にそれぞれ電源を供給する電源線と情報を入出力する情報線等を接続する必要がある。しかも、多数の実験機器や測定機器等を設置可能な実験台においては、多数の電源線や情報線を接続するための配線処理機構を設けて効率よく且つ整然と配線の処理を行う必要がある。
【０００４】
例えば、特許文献３に記載された実験台装置は、一対の支柱の間に天板や棚板、作業台等を上下に備え、支柱は内部に配線コードを挿通させた配線収容部を形成している。しかも、支柱には配線収容部の開口溝に複数の開口を備えた取付板を固定し、各開口にコンセントやブレーカスイッチ等の複数の集配電関連部品の操作部を露出させて取り付けている。そして、天板や作業台等に載置した実験機器や測定機器の配線をコンセントに接続して使用できるようにしている。
【先行技術文献】
【特許文献】
【０００５】
【特許文献１】特開２０１０−１０４９５０号公報
【特許文献２】特開２０１０−１０４９５１号公報
【特許文献３】特開平１１−１３６８１５号公報
【発明の概要】
【発明が解決しようとする課題】
【０００６】
しかしながら、特許文献１や２に記載された作業用什器においては、１つの作業台で多数の実験機器や測定機器等の配線をコンセントに接続することが多いが、支柱を通して什器に供給できる配線の本数には限りがあるために、実験や研究中に天板に設置したパソコンや半田ごて等の各種機器の使用電力が増大すると複数のコンセントを通して配線に過大な電流が流れてショートするおそれがあった。そのため、什器内の配線に過大な電流が流れることを抑制して各種機器や配線が損傷することを防止できる配線構造を備えた什器が求められている。
【０００７】
また、特許文献３に記載された実験台装置では、支柱の表面に並んでコンセントだけでなくブレーカスイッチ等も露出しているため、実験中に作業者が誤ってブレーカスイッチに接触したり誤操作したりするおそれがあり、実験や作業の中断を招く恐れがあった。
【０００８】
本発明は、このような事情に鑑みてなされたもので、過大な電流が配線に流れることを防止すると共に誤ってブレーカ操作部を操作することもなく操作性を良好にできるようにした什器を提供することを目的とする。
【課題を解決するための手段】
【０００９】
本発明による什器は、作業用の天板と、天板を支持する脚部と、天板から上方に延びていて棚板を支持する支柱とを備えた什器であって、天板の後方には、コンセントを設置したコンセントユニットと、開口を有していて内部に配線を収容した配線収容部とを備え、配線収容部内にコンセントユニットにおけるコンセントのブレーカ操作部を備えたことを特徴とする。
本発明によれば、天板の後方にコンセントユニットと配線を収容した配線収容部とを設け、配線収容部内にコンセントユニットに設けたコンセントの配線のブレーカ操作部を設置したから、ブレーカ操作部は通常の使用状態で外部から視認し難く、コンセントの配線に過大な電流が流れることをブレーカ操作部によって阻止できる上に、配線収容部の開口を通してブレーカ操作部を作動できるから、ブレーカ操作部の操作が容易である。しかも、棚板に設置した実験機器や測定機器等の電源コードを開口を通して配線収容部に導くことができ、天板に設置した各種の電子機器等の配線の差込プラグを天板上のコンセントユニットのコンセントに差し込みできるため、配線が混乱しない。
【００１０】
また、ブレーカ操作部はコンセントユニットの配線収容部内に位置する側面に設けられていることが好ましい。
コンセントユニットの配線収容部内に位置する側面にブレーカ操作部を設けたことで、配線収容部の開口を通してブレーカ操作部を容易に操作できる。
【００１１】
また、配線収容部の開口には開閉可能な蓋体が設置されていることが好ましい。
配線収容部に蓋体を設置したことで、配線収容部内に設けたブレーカ操作部を視認できず外観上の見栄えがよい。
【００１２】
また、什器の本体には係合受け部が固定され、コンセントユニットには係合受け部に着脱可能な係合部材が設けられていてもよい。
什器の本体の係合受け部に係合部材によってコンセントユニットを装着したことで、コンセントユニットのコンセントから差込プラグを取り外す際、コンセントユニットが什器の本体から外れたりすることを防止できる。
【００１３】
本発明による什器において、天板は支柱を設けた領域を挟んで両側に一対設けられており、一対の天板の間の領域に配線収容部を設置し、配線収容部とそれぞれの天板との間にコンセントユニットをそれぞれ設置したことを特徴とする。
本発明では、一対の天板の間の領域に配線収容部を設置し、配線収容部とそれぞれの天板との間にコンセントユニットをそれぞれ設置したから、棚板に設置した実験機器や測定機器等の電源コードを配線収容部内に挿入し、天板に設置したパソコン等の各種電子機器の配線の差込プラグをコンセントユニットのコンセントに接続することができ、実験機器や測定機器等の電源コードと天板に設置した各種電子機器の配線とが混乱せずに配設することができる。そして、配線収容部の開口を通してブレーカ操作部を容易に操作でき、電源コードや配線が操作の邪魔にならない。
【発明の効果】
【００１４】
本発明に係る什器によれば、天板の後方にコンセントを設置したコンセントユニットと配線収容部内に設けたコンセントのブレーカ操作部とを備えたので、コンセントの配線に過大な電流が流れることをブレーカ操作部によって阻止できる上に、ブレーカ操作部を外部から視認し難く外観上の見栄えがよく、更に配線収容部の開口を通してブレーカ操作部を容易に操作できるため操作性が良い。
【図面の簡単な説明】
【００１５】
【図１】本発明の第一実施形態による天板を片側に設けた実験台の斜視図である。
【図２】図１に示す実験台における天板の後方に設けたコンセントユニットと蓋体を示す要部斜視図である。
【図３】図２に示すコンセントユニットを示す平面図である。
【図４】図３に示すコンセントユニットの側面図である。
【図５】コンセントユニットの係合ピンと係合受け部とブレーカスイッチを示す分解説明図である。
【図６】配線ダクトにおけるコンセントユニットと配線収容部とを示す要部拡大縦断面図である。
【図７】係合ピンを示すもので、（ａ）は正面図、（ｂ）は平面図、（ｃ）は側面図である。
【図８】係合受け部を示すもので、（ａ）は正面図、（ｂ）は平面図である。
【図９】本発明の第二実施形態による実験台の斜視図である。
【発明を実施するための形態】
【００１６】
以下、本発明の第一実施形態による什器としての実験台を、図１から図８を参照して説明する。
本第一実施形態による実験台１は、例えば電気配線や情報線を配設して電気的な実験等を行うようにしたいわゆる乾式実験台に関するものである。図１に示すように、本実施形態による実験台１は、一対の面型の脚部２とその中間に面型の補助脚部３が配設され、両端の脚部２の中央部にはそれぞれ支柱４が起立状態で連結され、補助脚部３の中央部にも中間支柱５が連結されている。一対の脚部２とその中間の補助脚部３の上には天板７が固定されている。
なお、本明細書において、作業者（ユーザ）が実験台１の天板７に対向して椅子等に着座する側を「前方」、天板７において着座側から離れた支柱４や中間支柱５側を「後方」または「背面側」と称する。
【００１７】
一対の支柱４と中間支柱５の上部には天板7の上方に第一棚板８が例えば後端に隙間８ａを開けて配設され、更に天板７と第一棚板８との中間高さには第二棚板９が後端に隙間９ａを開けて配設されている。第一棚板８や第二棚板９上には例えば実験機器や測定機器等を載置可能であり、更に天板７にはパソコンや半田ごて等の各種機器を設置して作業台として使用できる。また、脚部２と補助脚部３の後部には後端板１０が取り付けられている。
【００１８】
各棚板８，９は支柱４、中間支柱５の側部に設けた孔に係止された略三角形板状のブラケット１１上にそれぞれ支持されている。また、天板７と第二棚板９の間には支柱４と中間支柱５の間、中間支柱５と他の支柱４の間にそれぞれ補強用のブラケット１２が連結され、これら２本のブラケット１２は一直線状に配設されており、或いは１本で形成されていてもよい。
実験台１は、例えば天板７に対して支柱４と中間支柱５、中間支柱５と他の支柱４の間にそれぞれ椅子等を置いて作業者が実験等の作業を行うことができるようになっており、支柱４と中間支柱５との間の天板７の各スペースを単一の実験スペースＳとして実験に利用することが可能である。
【００１９】
そして、天板７の後方の下部には、脚部２と補助脚部３の間にそれぞれボックス型の配線ダクト１４が配設されており（図６参照）、例えば、一方の支柱４内から配線や各種の信号を送信する情報線等を引き回すようになっている。天井から垂下された配線は中空の管状に形成された一方の支柱４内を降下させて配線ダクト１４内に進入させている。図６に示すように、配線ダクト１４は底部１４ａと前後の側部１４ｂ、１４ｃを有しており、一方の脚部２から補助脚部３まで延びており、更に別の配線ダクト１４が補助脚部３から他方の脚部２まで延びて互いに連結している。
【００２０】
ここで、図２及び図６に示すように、配線ダクト１４内における配線収容部１７の上部の開口１７ａは天板７の後方に位置しており、配線収容部１７の開口１７ａと天板７の間には例えばボックス形状のコンセントユニット１６が平行に配設されている。そして、上部の開口１７ａを開閉可能な配線カバーとして一対の蓋体１８が配設されている。コンセントユニット１６の上面１６ａと蓋体１８は天板７と同一面上に位置することが作業をする上で好ましい。なお、図１に示すように、コンセントユニット１６と蓋体１８は一対の支柱４と中間支柱５の間にそれぞれ１組づつ合計２組配設されており、各実験スペースＳ毎に設置されている。
【００２１】
次に、図２から図８により、コンセントユニット１６について詳述する。コンセントユニット１６は例えば角筒状のボックス形状を有しており、内部には支柱４から延びる配線(図示せず)が挿入されている。そして、図３及び図４において、コンセントユニット１６の上面１６ａにはその長手方向に間隔を開けて差込プラグを接続するコンセント２０が固定されている。図３に示す例では、コンセント２０は２つ１組で設置され、その上部をスライド式の一対の開閉部材２１が反対方向に開閉作動することで個別にコンセント２０を開閉できる。これらのコンセント２０と開閉部材２１を備えた電源セット２２はコンセントユニット１６の上面１６ａの長手方向に間隔を開けて複数組、例えば３組設置され、更にアース部材２３のアース端子２３ａも設置されている。
【００２２】
また、図４及び図５において、コンセントユニット１６の配線収容部１７側の側面１６ｂにはブレーカ操作部であるブレーカスイッチ２５が取り付けられている。このブレーカスイッチ２５は上述したコンセントユニット１６の複数、例えば３組６個のコンセント２０の配線に定格電流の合計値を越える過電流が流れた場合に、ＯＦＦに切り替わるように設定されている。ブレーカスイッチ２５はコンセントユニット１６の側面１６ｂにおける支柱４側の端部に設けられているが、側面１６ｂの適宜位置に設置できる。
【００２３】
次に、コンセントユニット１６の配線ダクト１４への取り付け構造について図５〜図８により説明する。図５における配線ダクト１４内における支柱４と中間支柱５の近傍位置に実験台１の本体として梁部２７が固定されており、この梁部２７上には係合受け部２８が固定され、コンセントユニット１６には係合受け部２８に係合する係合ピン２９（係合部材）が取り付けられている。
係合ピン２９は、図７に示すように、円盤状の頭部３１に軸部３２が連結され、頭部３１にはコイン等で開閉操作するための溝部３１ａが形成されている。また、軸部３２の先端側には、上下方向に間隙を開けた位置に長円状の上係止部３３と下係止部３４が形成されており、上係止部３３の上側の基板３２ａには外側にテーパ状に開いた一対のばね板部３５が頭部３１に向けて対向して設けられている。上係止部３３と下係止部３４は互いに重ねて配設され、上係止部３３と下係止部３４の対向する面に一方または両方が相手側に突出した凸曲面形状を有している。
係合ピン２９をコンセントユニット１６の貫通孔に挿入した状態で一対のばね板部３５が外側に開いて保持されるため、係合ピン２９はコンセントユニット１６から離脱することを防止できる。
【００２４】
これに対し、図８に示す係合受け部２８には、梁部２７に固定される固定板３８からアーム部３８ａを介して上方に延びる受け部３９には例えば略角筒状の凹部３７が形成され、この凹部３７内の板状の底部３９ａには長円状の長円孔４０が形成されている。凹部３７は上端開口部３７ａが長円孔４０の円弧部に沿って円弧状に形成されている。
そして、係合ピン２９を、コンセントユニット１６に挿通して、軸部３２の先端側の下係止部３４が長円孔４０を通過した位置で頭部３１がコンセントユニット１６の上面１６ａに当接するので、その位置で溝部３１ａにコイン等を挿入して頭部３１を回転させると底部３９ａが係合ピン２９の上係止部３３と下係止部３４で挟持され、しかも上係止部３３と下係止部３４の各当接面は凸曲面状に形成されているため底部３９ａを挟んで締め込み、長円孔４０に対して略９０度回転した位置で停止し、固定される。
或いは、係合ピン２９の上係止部３３までを係合受け部２８の長円孔４０の下部に挿入した状態で、頭部３１を約９０度回転させることで、上係止部３３と底部３９ａとを係止させてコンセントユニット１６を固定する構成を採用してもよい。
【００２５】
このような係合受け部２８と係合ピン２９を１または複数（図では４組）設けることで、各コンセントユニット１６を配線収容部１７の開口１７ａの前方（天板７側）に着脱可能に固定できる。また、コンセントユニット１６を係合ピン２９で係合受け部２８に固定した状態で、天板７上に載置したパソコン等の差込プラグをコンセント２０から取り外す際、コンセントユニット１６が実験台１の天板７から外れることがない。
また、係合ピン２９のばね板部３５は頭部３１に向かってテーパ状に開いた形状であり、凹部３７の上端開口部３７ａにばね板部３５が当接することで係合ピン２９を係合受け部２８から離間する方向に引っ張るよう付勢するから、コンセントユニット１６をガタなく梁部２７に保持することができる。
【００２６】
次に、コンセントユニット１６の後方に設けた配線ダクト１４における配線収容部１７の開口１７ａの開閉構造について図６により説明する。なお、図に示す例では、１本のコンセントユニット１６が支柱４と中間支柱５との間に設置されているが、開口１７ａを開閉可能に設置された蓋体１８は並列に２つ並んだ状態で、直列方向に２組連結されて配設されている。そして、コンセントユニット１６の中央の２つの係合受け部２８の設置位置に２組の蓋体１８の端部が位置することになる。
【００２７】
そして、配線ダクト１４に設けた梁部２７上に固定された支持部４２の上部に例えば２本の回転軸４３が固定されている。各回転軸４３の上には一対の蓋体１８の端部下面に設けた凹部形状の回動受け部４４が嵌合され、これによって、一対の蓋体１８を回転軸４３回りに回動させて開口１７ａを開閉可能としている。しかも、各蓋体１８の幅方向の外側端部にはゴム等の弾性変形可能な弾性体からなるリップ部材４６がその長手方向に沿って取り付けられている。
【００２８】
そのため、図２に示すように、天板７の後方に設けたコンセントユニット１６の更に後方に設けた一対の蓋体１８で開口１７ａを閉鎖した状態では、蓋体１８とコンセントユニット１６との間の隙間と蓋体１８と後端板１０との間の隙間は、それぞれリップ部材４６で閉塞され、蓋体１８を開く際にはリップ部材４６に指を挿入することで弾性変形させ、蓋体１８を回転軸４３回りに回動させて図６に示すように開口できる。
【００２９】
コンセントユニット１６に隣接する配線収容部１７の開口１７ａを蓋体１８で閉鎖した状態で、作業者はコンセントユニット１６の側面１６ｂに設けたブレーカスイッチ２５の位置を認識できない。そのため、ブレーカスイッチ２５を設置したコンセントユニット１６の側面１６ｂに対向する位置の蓋体１８またはコンセントユニット１６の上面１６ａに「ブレーカスイッチ」という表示をシール等で表示することが好ましい。
【００３０】
本第一実施形態による実験台１は上述の構成を備えており、次に実験台１の使用方法とブレーカスイッチ２５の操作方法について説明する。
本実施形態による実験台１では、第一棚板８や第二棚板９に実験機器や測定機器等を載置し、電源コードを後端側の第一棚板８の隙間８ａや第二棚板９の隙間９ａから垂らし、天板７の後ろ側に垂下する。そして、蓋体１８を開放させて配線収容部１７の開口１７ａから電源コードを内部に収容する。配線収容部１７内には例えば天井から支柱４内を通して挿入された配線が収容されており、この配線に接続されたタップ等に電源コードの差込プラグを挿入し、各棚８，９上に載置された実験機器や測定機器等を駆動することで実験等を行う。
【００３１】
一方、天板７上の後方に設けたコンセントユニット１６の開閉部材２１を開放状態にする。また、天板７上にパソコンや半田ごて等の各種器具を設置し、これらの器具の配線の差込プラグをコンセント２０に挿入して通電状態にする。
そして、１つの実験スペースＳで使用する天板７上の各種器具の配線の電流量の合計値が定格電流値の合計を越えて過大な電流量になると、ブレーカスイッチ２５が作動して配線回路を遮断する。この場合、各種電気器具の一部の使用電流量を削減させて実験スペースＳの電流量が定格電流値以下となった後、蓋体１８とコンセントユニット１６との間のリップ部材４６に作業者が手を突っ込んで蓋体１８を回転軸４３回りに回動させて持ち上げる。すると、配線収容部１７内におけるコンセントユニット１６の側面１６ｂに取り付けたブレーカスイッチ２５を目視できるから、作業者がブレーカスイッチ２５を操作してコンセント２０の配線を通電状態にする。こうして、作業者は容易にブレーカスイッチ２５の操作を行える。
【００３２】
上述のように、本第一実施形態による実験台１によれば、天板７の後方に、配線収容部１７内に位置するコンセントユニット１６の側面１６ｂにコンセント２０に接続された配線のブレーカスイッチ２５を設置したから、ブレーカスイッチ２５によってコンセント２０の配線に過大な電流が流れることを阻止できる。しかも、ブレーカスイッチ２５は配線収容部１７の開口１７ａ内に設け、更に開口１７ａに開閉可能な蓋体１８を設置したので、ブレーカスイッチ２５が露出せず外観上の見栄えがよい。しかも、蓋体１８を開けて配線収容部１７の開口１７ａを通して作動後のブレーカスイッチ２５を容易に操作できるため操作性が良い。
【００３３】
また、コンセントユニット１６は、不使用時にはコンセント２０を開閉部材２１で閉塞できて外観上の見栄えがよい上にコンセント２０にごみ等が付着することを防止できる。しかも、コンセントユニット１６やブレーカスイッチ２５を天板７の後方に設置したため、第一または第二棚板８，９に実験機器や測定機器等を設置した状態で、各棚板８，９の後方から電源コードを下方に垂下させて開口１７ａから配線収容部１７内に収容できる。そのため、実験機器や測定機器等の電源コードと天板７上に載置したパソコン等の電子機器の配線とを区分けでき、両者の配線が混じりあうことを防止できて使い勝手が良い。また、ブレーカスイッチ２５を設置した位置の近傍における蓋体１８やコンセントユニット１６の上面１６ａにブレーカスイッチ２５の設置位置の表示をすると、作業者がブレーカスイッチ位置を容易に認識できる。
【００３４】
なお、本発明は上述の実施形態による実験台１に限定されることはなく、本発明の要旨を変更しない範囲で適宜の変更や置換等が可能であり、これらはいずれも本発明に含まれる。以下に、本発明の他の実施形態や変形例について説明するが、上述した実施形態と同一または同様な部品や部材等には同一の符号を用いて説明を行う。
次に本発明の第二実施形態による実験台５０について図９により説明する。
第二実施形態による実験台５０は第一実施形態による実験台１と概略同一構成を有しており、本実施形態では、蓋体１８を挟む両側にコンセントユニット１６が設置され、更にこれらコンセントユニット１６の前方にそれぞれ天板７が対向して設置されている。更に、支柱４や中間支柱５の上部にも、その両側、即ち対向する各天板７の上方に第一棚板８や第二棚板９がそれぞれ対向して設置されている。
【００３５】
なお、上述した各実施形態では、ブレーカスイッチ２５を側面１６ｂに設置した配線収容部１７の開口１７ａを閉塞可能な蓋体１８を一対設けたが、必ずしも蓋体１８を設置することなく開放状態に保持してもよい。この場合であってもブレーカスイッチ２５は開口１７ａ内の側面１６ｂに設けたから、外部から視認し難く外観上の見栄えを損なわない上に、ブレーカスイッチ２５の操作が一層容易である。
【００３６】
また、上述した各実施形態では、支柱４と中間支柱５の間における天板７の１つの実験スペースＳに設けたコンセントユニット１６における複数のコンセント２０にそれぞれつながる複数の配線を流れる合計の電流量が合計の定格電流値を越える過電流になった場合に作動するように設定したが、支柱４から中間支柱５を介して他の支柱４までの間に設置した複数の実験スペースＳにおける合計電流量が、過電流になった場合にブレーカスイッチ２５が作動するように設定してもよい。また、中間支柱５は支柱に含まれ、補助脚部３も脚部に含まれる。
【００３７】
また、上述した実施形態では、実験機器や測定機器等を第一または第二棚板８，９に設置して電源コードを下方に垂下して配線収容部１７内のタップ等のコンセントに接続するようにしたが、天板７の後方に設けたコンセントユニット１６のコンセント２０に接続するようにしてもよい。この場合でも、コンセントユニット１６に設けたコンセント２０の配線の合計電流量が過大である場合にブレーカスイッチ２５を作動できる。
なお、上述した各実施形態では、実験台１，５０について説明したが、本発明は実験台に限定されることなく、上述したブレーカスイッチ２５とコンセント２０を備えたコンセントユニット１６と開口１７ａを設けた配線収容部１７とを有する配線構造を備えた作業台やデスク等を含む什器に適用できる。
【符号の説明】
【００３８】
１、５０  実験台
２  脚部
３  補助脚部
４  支柱
５  中間支柱
７  天板
８  第一棚板
９  第二棚板
１４  配線ダクト
１６  コンセントユニット
１７  配線収容部
１７ａ  開口
１８  蓋体
２０  コンセント
２１  開閉部材
２５  ブレーカスイッチ
２８  係合受け部
２９  係合ピン(係合部材)
３５  ばね飯給
【図１】
2015047572.tif 000003
【図２】
2015047572.tif 000004
【図３】
2015047572.tif 000005
【図４】
2015047572.tif 000006
【図５】
2015047572.tif 000007
【図６】
2015047572.tif 000008
【図７】
2015047572.tif 000009
【図８】
2015047572.tif 000010
【図９】
2015047572.tif 000011